(57)【要約】アダプターブロック・アッセンブリは、アダプターブロック、回路ボード装置、および回路ボード装置がカバーによりアダプターブロックに保持されるようにアダプターブロックに取り付けられたカバーを含む。コンタクト・アッセンブリはアダプターブロックと回路ボード装置との間に配置され得る。カバーは、アダプターブロックに掛止され、熱杭が打たれ、又は取り付けられ得る。アダプターブロック・アッセンブリの各コンポーネントは１つ以上の部品（例えば、マルチプルアダプターブロック、マルチプル回路ボード、および/又はマルチプルカバー片）を含み得る。
2016513275.tif 000002
【特許請求の範囲】
【請求項１】
光アダプターブロック・アッセンブリであって、
（ａ）複数のポートを規定するアダプターブロック；
（ｂ）複数のコンタクト・アッセンブリ；
（ｃ）第１側部および第２側部を有する回路ボード装置；および
（ｄ）回路ボード装置の第１側部に据え付けるように構成されたカバー
を有して成り、
アダプターブロックは、ポートと関連した複数のアパーチャーを規定し、
複数のコンタクト・アッセンブリは、各コンタクト・アッセンブリの一部がアダプターブロックの内部に延在するようにアダプターブロックのアパーチャー内に配置されており、
第１側部は回路ボード・コンポーネントを含み、および第２側部はアダプターブロックに据え付けるように構成されており、
第２側部はアダプターブロックのアパーチャー内に配置されたコンタクト・アッセンブリに電気的に接続するように構成されており、
カバーは、回路ボード装置がカバーによりアダプターブロックに保持されるようにアダプターブロックに取り付けられる、光アダプターブロック・アッセンブリ。
【請求項２】
カバーがアダプターブロックに掛止される、請求項１に記載の光アダプターブロック・アッセンブリ。
【請求項３】
アダプターブロックはラッチフックを有するラッチアームを含み、および、カバーは開口部の第１側部でラッチフックを受容し、開口部の第２側部でラッチフックを保持する大きさである開口部を含む、請求項２に記載の光アダプターブロック・アッセンブリ。
【請求項４】
カバーはコンタクト・アッセンブリに隣接して位置付けられた複数の熱杭を使用してアダプターブロックに取り付けられる、請求項１に記載の光アダプターブロック・アッセンブリ。
【請求項５】
熱杭はアダプターブロックから外側へ延在しており、カバーは、カバーがアダプターブロックに設けられる際に熱杭が延在する貫通孔およびカウンターボアを規定するウェルを含む、請求項４に記載の光アダプターブロック・アッセンブリ。
【請求項６】
複数のポートを規定する第２アダプターブロック；並びに
アダプターブロックおよび第２アダプターブロックを一体的に連結するように構成された結合部材
を更に有して成り、
第２アダプターブロックはポートと関連した複数のアパーチャーを規定する、請求項１に記載の光アダプターブロック・アッセンブリ。
【請求項７】
回路ボード装置は、回路ボード装置の第２側部から外側に延在するピンを有する電気コネクタを含み、結合部材は電気コネクタのピンが延在する少なくとも１つのシュラウドを規定する、請求項６に記載の光アダプターブロック・アッセンブリ。
【請求項８】
結合部材は第１シュラウドに対して一直線上に置かれた第２シュラウドを規定し、回路ボード装置の電気コネクタは、回路ボード装置がアダプターブロックに据え付けられる際に、第１シュラウドおよび第２シュラウドの一方を通じて延在する、請求項７に記載の光アダプターブロック・アッセンブリ。
【請求項９】
回路ボード装置は第１回路ボードおよび第２回路ボードを含み、各回路ボードは複数のコンタクト・アッセンブリとコンタクトパッドを含む、請求項１に記載の光アダプターブロック・アッセンブリ。
【請求項１０】
カバーは第１カバー片、第２カバー片、および中間カバー片を含む、請求項９に記載の光アダプターブロック・アッセンブリ。
【請求項１１】
アダプターブロックは互い違いに配置された形態を規定する外周を有する、請求項１に記載の光アダプターブロック・アッセンブリ。
【請求項１２】
光アダプターブロック・アッセンブリであって、
（ａ）前部、背部、上部、底部、第１側部および第２側部を有する第１アダプターブロック；
（ｂ）前部、背部、上部、底部、第１側部および第２側部を有する第２アダプターブロック；および
（ｃ）接続部材
を有して成り、
第１アダプターブロックは、第１アダプターブロックの前部に複数の前面ポートおよび第１アダプターブロックの背部に複数の背面ポートを規定し、
第１アダプターブロックの上部は第１アダプターブロックの各ポートのためのアパーチャーを規定し、
第２アダプターブロックは、第２アダプターブロックの前部に複数の前面ポートおよび第２アダプターブロックの背部に複数の背面ポートを規定し、
第２アダプターブロックの上部は第２アダプターブロックの各ポートのためのアパーチャーを規定し、
接続部材は、前面ポートが共通の面に沿って延在するようにユニットとして第１アダプターブロックおよび第２アダプターブロックを一体的に保持するために、第１アダプターブロックの第１側部および第２アダプターブロックの第２側部に連結する、光アダプターブロック・アッセンブリ。
【請求項１３】
第１アダプターブロックの上部を横切って延在する回路ボード；および
回路ボードを第１アダプターブロックに保持するために第１アダプターブロックに連結されたカバー
を更に有して成り、
複数のコンタクト・アッセンブリは回路ボードに設けられている、請求項１２に記載の光アダプターブロック・アッセンブリ。
【請求項１４】
回路ボードは第２アダプターブロックを横切って延在し、カバーは回路ボードを第２アダプターブロックに保持するために第２アダプターブロックに連結する、請求項１３に記載の光アダプターブロック・アッセンブリ。
【請求項１５】
接続部材は前方シュラウドおよび後方シュラウドを有し、
前方シュラウドは、回路ボードが第１アダプターブロックに第１方向に位置付けられる際回路ボードコネクタを受容し、
後方シュラウドは、回路ボードが第１アダプターブロックに第１方向から１８０°回転させた第２方向に位置付けられる際回路ボードコネクタを受容する、請求項１３に記載の光アダプターブロック・アッセンブリ。
【請求項１６】
カバーの側端部が第１アダプターブロックおよび第２アダプターブロックの結合した外周から内側に向かって凹んでいる、請求項１３に記載の光アダプターブロック・アッセンブリ。
【請求項１７】
光アダプターブロック・アッセンブリであって、
（ａ）複数の前面ポートおよび複数の背面ポートを規定するアダプターブロック；
（ｂ）アダプターブロックに据え付けるように構成された回路ボード装置；および
（ｃ）回路ボード装置に据え付けるように構成されたカバー
を有して成り、
アダプターブロックはアダプターブロックの上部で複数のアパーチャーを規定し、
各アパーチャーは前面ポート又は背面ポートの一方と関連しており、
アダプターブロックはアダプターブロックの上部から上側に向かって延在する複数の熱杭を含み、
回路ボード装置は、回路ボード装置がアダプターブロックに配置される際に熱杭が通過する開口部を規定し、
カバーは、複数のウェルが下側に向かって延在する上部プレートを含み、
ウェルは、カバーがアダプターブロックに設けられる際に熱杭が延在する貫通孔およびカウンターボアを規定し、
各熱杭の先端部は、カバープレートおよび回路ボード装置をアダプターブロックに取り付けるために各ウェルのカウンターボア内で溶融されるように構成されている、光アダプターブロック・アッセンブリ。
【請求項１８】
カバー装置をアダプターブロック装置に組み立てるための方法であって、
第１カバー片を第１アダプターブロックに押して、第１アダプターブロックのラッチアームを第１カバー片に規定された貫通開口部の第１セクションを通じて摺動させること；
第１方向に第１カバー片を摺動させて、ラッチアームを貫通開口部の第２セクション内に移動させること；
第２カバー片を第２アダプターブロックに押して、第２アダプターブロックのラッチアームを第２カバー片に規定された貫通開口部の第１セクションを通じて摺動させること；
第１方向とは反対方向である第２方向に第２カバー片を摺動させて、ラッチアームを貫通開口部の第２セクション内に移動させること；および
第１カバー片と第２カバー片との間に中間カバーを位置付けて、第２方向への第１カバー片の移動を抑制し、および第１方向への第２カバー片の移動を抑制することを含む、方法。
【請求項１９】
第１方向への第１カバー片の摺動により、第１アダプターブロックのラッチアームのラッチフックが第１カバー片により規定されたプラットフォームに引っ掛かり、および、第２方向への第２カバー片の摺動により、第２アダプターブロックのラッチアームのラッチフックが第２カバー片により規定されたプラットフォームに引っ掛かる、請求項１８に記載の方法。
【請求項２０】
中間カバーの位置付けは、第１アダプターブロックおよび第２アダプターブロックを一体的に連結する結合部材に中間カバーを掛止することを含む、請求項１８に記載の方法。
【発明の詳細な説明】
【技術分野】
【０００１】
関連出願の相互参照
この出願は２０１４年２月５日にＰＣＴ国際特許出願として出願され、また、２０１３年７月８日に出願され“操作接続性を有した光アッセンブリ”と題された米国特許出願第６１/８４３，７１８号、２０１３年２月５日に出願され“操作接続性を有した光アッセンブリ”と題された米国特許出願第６１/７６１，０３４号、および２０１４年１月３１日に出願され“操作接続性を有した光アッセンブリ”と題された米国特許出願第６１/７６１，０３４号に対して優先権主張するものである。米国特許出願第６１/８４３，７１８号、米国特許出願第６１/７６１，０３４号および米国特許出願第６１/７６１，０３４号の開示内容は参照することにより本明細書に組み入れられる。
【背景技術】
【０００２】
通信基盤施設では、様々な通信デバイスは通信ネットワーク内で通信信号伝送経路とのスイッチング、クロス接続および相互接続のため使用され得る。そのような通信デバイスは、組織化され、高密度の設置を装置のため利用可能な限定空間で達成され得る１つ以上の装置ラックに設けられる。
【０００３】
通信デバイスは、装置の様々なアイテム間の多くのロジカル通信リンクを含むネットワーク内で組織化され得る。単一のロジカル通信リンクはしばしば物理通信媒体のいくつかのピースを用いて実施される。コンピュータとハブ又はルーター等のインターネットワークデバイスとの間のロジカル通信リンクは下記のとおり実施され得る。第１ケーブルはコンピュータを壁に設けられたジャックに接続する。第２ケーブルは壁に設置されたジャックをパッチパネルの一部に接続し、第３ケーブルはインタネットデバイスをパッチパネルの別のポートに接続する。“パッチコード”は一体的にその２つと接続する。換言すれば、単一のロジカル通信リンクはしばしば物理通信媒体のいくつかのセグメントを使用して実施される。
【０００４】
ネットワーク操作システム（ＮＭＳ）は、通信ネットワークに存在するロジカル通信リンクを典型的には認識するが、しかし、ロジカル通信リンクを実行するのに使用される特定の物理層媒体（例えば通信デバイス、ケーブル、結合器等）についての情報を典型的には有していない。確かに、ＮＭＳシステムは、ロジカル通信リンクを物理層レベルでどのように実行するのかについての情報を表示又は供することが典型的にはできない。
【発明の概要】
【０００５】
本開示は物理的操作機能（又は能力;capability）を供する通信コネクタアッセンブリおよびコネクタ装置（;arrangement）に関する。特定の態様に従えば、本開示は光ファイバーコネクタアッセンブリおよびコネクタ装置に関する。
【０００６】
本開示のある態様に従えば、光アダプターブロック・アッセンブリは、アダプターブロック、回路ボード装置、およびカバーを含む。アダプターブロックはポートおよびポートと関連したアパーチャーを規定する。コンタクト・アッセンブリは、各コンタクト・アッセンブリの一部がアダプターブロックの内部に延在するようにアダプターブロックのアパーチャー内に配置され得る。回路ボード装置は、回路ボード部品を含む第１側部およびアダプターブロックに据え付ける（又は固定する;seat on）ように構成された第２側部を有する。また、第２側部はアダプターブロックのアパーチャー内に配置されたコンタクト・アッセンブリに電気接続するように構成されている。カバーは回路ボード装置の第１側部に据え付けるように構成されている。カバーは、回路ボード装置がカバーによりアダプターブロックに保持されるようにアダプターブロックに取り付けられる。
【０００７】
特定の態様では、カバーはアダプターブロックに掛止される。特定の態様では、カバーはアダプターブロックに熱杭（又は加熱杭又はヒートステーク;heat stake）で支えられる。
【０００８】
本開示の他の態様に従えば、光アダプターブロック・アッセンブリは、第１アダプターブロック、第２アダプターブロック、および第１アダプターブロックおよび第２アダプターブロックをユニットとして一体的に保持するために第１アダプターブロックの第１側部および第２アダプターブロックの第２側部に連結する（又は接続する;couple）接続部材を含む。第１アダプターブロックは、第１アダプターブロックの前部に前面ポートおよび第１アダプターブロックの背部に背面ポートを規定する。第１アダプターブロックの上部は第１アダプターブロックの各ポートのためのアパーチャーを規定する。第２アダプターブロックは、第２アダプターブロックの前部に前面ポートおよび第２アダプターブロックの背部に背面ポートを規定する。第２アダプターブロックの上部は第２アダプターブロックの各ポートのためのアパーチャーを規定する。
【０００９】
本開示の他の態様に従えば、光アダプターブロック・アッセンブリは、アダプターブロック、回路ボード装置、およびアダプターブロックに熱杭で支えられるカバーを含む。アダプターブロックは前面ポートおよび背面ポートを規定する。また、アダプターブロックはアダプターブロックの上部にアパーチャーを規定する。各アパーチャーは前面ポートおよび背面ポートの一方と関連している。また、アダプターブロックはアダプターブロックの上部から上側方向に向かって延在する熱杭を含む。回路ボード装置は、回路ボード装置がアダプターブロックに配置される際に熱杭が通過する開口部を規定する。カバーは、ウェルが下側方向に向かって延在する上部プレートを含む。ウェルは、カバーがアダプターブロックに設けられる際に熱杭が延在する貫通孔およびカウンターボア（又は穴;bore）を規定する。各熱杭の先端部は、カバープレートおよび回路ボード装置をアダプターブロックに取り付ける（又は固定する;secure）ために各ウェルのカウンターボア内で溶融されるように構成されている。
【００１０】
特定の態様では、熱杭は、アパーチャーの位置で回路ボードをアダプターブロックにしっかりと保持するためにアダプターブロック内のアパーチャーに隣接して位置付けられる。コンタクト・アッセンブリはアパーチャー内に設けられ得る。アパーチャーでの熱杭の位置付けにより、アパーチャー内のコンタクト・アッセンブリの撓み（又は偏向又は逸れ;deflection）により生じ得るアパーチャーにおけるアダプターからの回路ボードの移動が抑制される。
【００１１】
様々な追加の発明に関する態様が下記内容に記載される。本発明の態様は個々の特徴および特徴の組み合わせに関し得る。上記の一般的説明および下記の詳細な説明の両方は典型的で説明のためのみであって、本明細書に開示された態様が基づく広範な発明の概念を限定するものではない。
【図面の簡単な説明】
【００１２】
説明に組み込まれ説明の一部を構成する添付図面は本開示のいくつかの態様を示す。図面の簡単な説明は以下のとおりである。
【００１３】
【図１】図１は、コネクタの物理層ストレージにアクセスするための媒体読取インターフェースを有する光アダプターに挿入された物理層ストレージを有した２つの光コネクタを示す概略図である。
【図２】図２は、媒体読取インターフェースを実行するのに適した例示のコンタクト・アッセンブリと一直線上にある物理層ストレージを有する例示の光コネクタの斜視図である。
【図３】図３は、図２の側面図である。
【図４】図４は、図２のコンタクト・アッセンブリと相互作用する図２の例示の光コネクタの斜視図である。
【図５】図５は、図４の側面図である。
【図６】図６は、アダプターブロック、結合部材、回路ボード、およびカバーを含む第１例示態様のアダプターブロック・アッセンブリの前方斜視図である。
【図７】図７は、相互に外方に分解された図６の第１アダプターブロック・アッセンブリのコンポーネントを示す。
【図８】図８は、図６の第１アダプターブロック・アッセンブリの断面図である。
【図９】図９は、カバーが取り外された図６の第１アダプターブロック・アッセンブリの前方斜視図である。
【図１０】図１０は、図９の第１アダプターブロック・アッセンブリの側面図である。
【図１１】図１１は、図６の第１アダプターブロック・アッセンブリでの使用に適した例示のアダプターブロックの前方斜視図である。
【図１２】図１２は、図１１のアダプターブロックの上面図である。
【図１３】図１３は、図１１のアダプターブロックの底面図である。
【図１４】図１４は、図６の第１アダプターブロック・アッセンブリでの使用に適した例示の結合部材の斜視図である。
【図１５】図１５は、図１４の結合部材の底面図である。
【図１６】図１６は、図１４の結合部材の上面図である。
【図１７】図１７は、図１６のライン１７−１７に沿った結合部材の断面図である。
【図１８】図１８は、図６の第１アダプターブロック・アッセンブリでの使用に適した例示の回路ボードボードに設けられたコンタクト・アッセンブリの下方斜視図である。
【図１９】図１９は、例示のトレイから上側方向に向かって分解された図６のアダプターブロック・アッセンブリを示す斜視図である。
【図２０】図２０は、図１９のトレイに設けられた図６のアダプターブロック・アッセンブリを示す斜視図である。
【図２１】図２１は、アダプターブロック、結合部材、回路ボード、およびマルチプルカバー片を含む第２例示態様のアダプターブロック・アッセンブリの前方斜視図である。
【図２２】図２２は、図２１のアダプターブロック・アッセンブリの下方斜視図である。
【図２３】図２３は、相互に外方に分解された図２１の第１アダプターブロック・アッセンブリのコンポーネントを示す。
【図２４】図２４は、図２１の第１アダプターブロック・アッセンブリでの使用に適した例示のアダプターブロックの前方斜視図である。
【図２５】図２５は、図２１の第１アダプターブロック・アッセンブリの側面図である。
【図２６】図２６は、図２１の第１アダプターブロック・アッセンブリでの使用に適した例示のカバー片を示す。
【図２７】図２７は、図２１の第１アダプターブロック・アッセンブリでの使用に適した例示のカバー片を示す。
【図２８】図２８は、図２１の第１アダプターブロック・アッセンブリでの使用に適した例示のカバー片を示す。
【図２９】図２９は、図２１の第１アダプターブロック・アッセンブリでの使用に適した例示のカバー片を示す。
【図３０】図３０は、図２１の第１アダプターブロック・アッセンブリでの使用に適した例示の結合部材の斜視図である。
【図３１】図３１は、図２１の第１アダプターブロック・アッセンブリでの使用に適した例示の結合部材の斜視図である。
【図３２】図３２は、図３０の結合部材の上面図である。
【図３３】図３３は、図３０の結合部材の底面図である。
【図３４】図３４は、図２１の第１アダプターブロック・アッセンブリでの使用に適した中間カバー片の斜視図である。
【図３５】図３５は、図２１の第１アダプターブロック・アッセンブリでの使用に適した中間カバー片の斜視図である。
【図３６】図３６は、カバーとアダプターブロックとの間に回路ボードを挟むためにアダプターブロックに熱杭を打たれたカバーを含む第３例示態様のアダプターブロック・アッセンブリの分解図である。
【図３７】図３７は、一体的に組み立てられたコンポーネントを用いた図３６の第３例示態様のアダプターブロック・アッセンブリの断面図である。
【図３８】図３８は、アダプターブロック、回路ボードおよびカバーを含む第４例示態様のアダプターブロック・アッセンブリの上方斜視図である。
【図３９】図３９は、相互に外方に分解された図３８の第４アダプターブロック・アッセンブリのコンポーネントを示す。
【図４０】図４０は、図３８の第４アダプターブロック・アッセンブリでの使用に適した例示のアダプターブロックを示す。
【図４１】図４１は、図３８の第４アダプターブロック・アッセンブリでの使用に適した例示のアダプターブロックを示す。
【図４２】図４２は、図３８の第４アダプターブロック・アッセンブリでの使用に適した例示のアダプターブロックを示す。
【図４３】図４３は、図３８の第４アダプターブロック・アッセンブリでの使用に適した回路ボードに設けられたコンタクト・アッセンブリの下方斜視図である。
【図４４】図４４は、図３８の第４アダプターブロック・アッセンブリでの使用に適したある例のカバーを示す。
【図４５】図４５は、図３８の第４アダプターブロック・アッセンブリでの使用に適したある例のカバーを示す。
【図４６】図４６は、本明細書に記載されたアダプターブロック・アッセンブリのいずれかを設けることが可能な別の例示のトレイを含む例示のトレイ装置を示す。
【図４７】図４７は、別のアダプターブロック・アッセンブリの斜視図である。
【図４８】図４８は、前方シュラウドの一部を見ることが可能な図４７のアダプターブロック・アッセンブリの正面図である。
【図４９】図４９は、図４７のアダプターブロック・アッセンブリの底面図である。
【図５０】図５０は、回路ボードおよびコンタクト・アッセンブリがアダプターブロック・アッセンブリのアダプターブロックから離れるように分解された図４７のアダプターブロック・アッセンブリの下方斜視図である。
【図５１】図５１は、図４７のアダプターブロック・アッセンブリにカバー片を掛止する際の工程を示す。
【図５２】図５２は、図４７のアダプターブロック・アッセンブリにカバー片を掛止する際の工程を示す。
【図５３】図５３は、図４７のアダプターブロック・アッセンブリにカバー片を掛止する際の工程を示す。
【図５４】図５４は、図４７のアダプターブロック・アッセンブリにカバー片を掛止する際の工程を示す。
【図５５】図５５は、図４７のアダプターブロック・アッセンブリにカバー片を掛止する際の工程を示す。
【図５６】図５６は、別の光アダプターブロックに連結された結合部材から離れるように分解された光アダプターブロックの斜視図である。
【発明を実施するための形態】
【００１４】
例示される本開示の典型的な態様を添付図面を参照して詳細に説明する。同一又は同様のパーツを参照するために可能な限り図面を通して同じ参照番号を使用する。
【００１５】
概して、媒体（又はメディア;media）セグメントは通信ネットワーク設備と接続する。媒体セグメントの非限定的な例としては、光ケーブル、電気ケーブルおよびハイブリッドケーブルが挙げられる。本開示は光媒体セグメントに焦点を合わせる。媒体セグメントは光プラグコネクタ、メディアコンバータ、又は他の光終端接続部品を用いて終端接続され得る。
【００１６】
図１は、第１媒体セグメント（例えば、光ファイバー、電気導体、ワイヤレストランシーバー等）からの通信信号が別の媒体セグメント１３２に通じるアダプターブロック・アッセンブリ（例えば、光アダプター、電気ソケット、ワイヤレス読取機（又はリーダー;reader））１１０を含む一態様に係る接続システム１００の概略図である。ある態様では、媒体セグメント１２２，１３２はコネクタ装置１２０，１３０によりそれぞれ終端接続される。例示のアダプターブロック・アッセンブリ１１０は光ネットワーク内の光通信媒体のセグメントと接続する。しかしながら、他の態様では、アダプターブロック・アッセンブリ１１０は電気セグメント、ワイヤレスセグメント、又はこれらの組合せと接続することができる。
【００１７】
アダプターブロック・アッセンブリ１１０は、第１ポート端部１１２および第２ポート端部１１４を有する少なくとも１つの接続開口部１１１を規定する光ファイバーアダプターを含む。スリーブ（例えば、スプリット（又は分割した;split）スリーブ）１０３が第１ポート端部１１２と第２ポート端部１１４との間のアダプター１１０の接続開口部１１１内に配置されている。各ポート端部１１２，１１４はコネクタ装置１２０を受容するように構成されている。各ファイバーコネクタ装置１２０，１３０は、光ファイバー１２２，１３２からの光信号がそれぞれ通過するフェルール１２４，１３４を含む。フェルール１２４，１３４は、光信号がフェルール１２４，１３４間を通過できるようにスリーブ１０３により保持され、一直線上に置かれている（又は整列されている又は一列に並べられている;aligned with）。コネクタ装置１２０，１３０の一直線上に置かれたフェルール１２４，１３４は、通信信号を運ぶ光通路を形成する。
【００１８】
本開示の態様に従えば、通信ネットワークは、物理的層情報（ＰＬＩ）機能性および物理的層操作（ＰＬＭ）機能性を供するデータ操作システムに結合され又は当該データ操作システムを組み入れている。用語“ＰＬＩ機能性”が本明細書で使用される際、“ＰＬＩ機能性”とは、物理的層情報を、通信ネットワークの物理層を実行するために使用される物理コンポーネントのいくつか又は全てと同一視する又は関連づけるための、物理コンポーネント又はシステムの能力を指す。用語“ＰＬＭ機能性”が本明細書で使用される際、“ＰＬＭ機能性”とは、通信ネットワークの物理層を実行するために使用される物理コンポーネントを操作する又は第三者が操作できるようにする（例えば、各コンポーネントに接続されるものの跡を追う、コンポーネントを使用して形成される接続をトレースする、又は選択されるコンポーネントでユーザに視覚的表示を供する）ための物理コンポーネント又はシステムの能力を指す。
【００１９】
用語“物理層情報”が本明細書で使用される際、“物理層情報”は、通信ネットワークの物理層を実行するために使用される物理コンポーネントの識別、属性、および/又はステータスについての情報を指す。通信ネットワークの物理層情報は、媒体情報、デバイス情報、および位置情報を含み得る。媒体情報は、ケーブル、プラグ、コネクタ、および他の物理媒体に関連する物理層情報を指す。媒体情報の非限定的な例としては、パーツ番号、シリアル番号、プラグタイプ、導体タイプ、ケーブル長さ、ケーブル極性、ケーブル通過容量、製造日、製造ロット番号、プラグコネクタの色又は形状、挿入総数（又はカウント;count）および試験又は性能情報が挙げられる。デバイス情報は、通信パネル、インターネットワークデバイス、媒体コンバーター、コンピュータ、サーバ、壁コンセント、および媒体セグメントが付く他の物理通信デバイスに関連する物理層情報を指す。位置情報は、ネットワークが展開される構造体の物理的レイアウトに関連する物理層情報を指す。
【００２０】
ある態様に従えば、通信ネットワークの１つ以上のコンポーネント（例えば、媒体セグメント、設備等）は、本明細書でより詳細に説明するが当該コンポーネントに関連する物理層情報を保存するように構成されている。いくつかのコンポーネントは、当該コンポーネントから保存された物理層情報を読み取るように構成されている媒体読み取りインターフェースを含む。媒体読み取りインターフェースにより得られる物理層情報は、処理および/又は記憶（又はストレージ又は保存又は保管;storage）のためのネットワークにわたり通信され得る。
【００２１】
例えば、図１のアダプターブロック・アッセンブリ１１０は、１つ以上の媒体セグメント１２２，１３２と終端接続するコネクタ装置１２０，１３０から物理層情報を回収するように構成され得る。ある態様では、第１コネクタ装置１２０は、物理通信媒体のセグメント１２２および/又は第１コネクタ装置１２０に関連する物理層情報を保存するように構成される保管デバイス１２５を含み得る。また、特定の態様では、第２コネクタ装置１３０は、第２コネクタ装置１３０および/又は終端接続された第２光ケーブル１３２に関連する情報を保存するように構成される保管デバイス１３５を含む。
【００２２】
ある態様では、保管デバイス１２５，１３５の各々はＥＥＰＲＯＭ（例えば、ＰＣＢ表面実装ＥＥＰＲＯＭ）を使用して実行される。他の態様では、保管デバイス１２５，１３５は他の不揮発性保管デバイスを使用して実行される。各保管デバイス１２５，１３５は、媒体セグメント１２２，１３２にわたり通信される（又は伝達される;communicated）通信信号を干渉又は相互作用しないように配置され、構成されている。
【００２３】
ある態様に従えば、アダプター１１０は少なくとも第１媒体読取インターフェース１１６に連結（又は接続;couple）されている。また、特定の態様では、アダプター１１０は少なくとも第２媒体読取インターフェース１１８に接続されている。特定の態様では、アダプター１１０はマルチプル（又は並列の;multiple）媒体読取インターフェースに接続されている。ある態様では、アダプター１１０はアダプター１１０に規定される各ポート端部のための媒体読取インターフェースを含む。別の態様では、アダプター１１０はアダプター１１０に規定される各接続開口部１１１のための媒体読取インターフェースを含む。他の態様では、アダプター１１０は任意の所望の数の媒体読取インターフェース１１６，１１８を含み得る。
【００２４】
ある態様では、少なくとも第１媒体読取インターフェース１１６がプリント回路ボード１１５に設けられる。また、ある態様では、プリント回路ボード１１５は第２媒体読取インターフェース１１８を含み得る。アダプター１１０のプリント回路ボード１１５はプログラム制御可能なプロセッサおよび/又は１つ以上のネットワーク・インターフェースに通信接続され得る（図１のデータライン１１９参照）。ネットワーク・インターフェースは物理層情報を物理層データ操作ネットワークに送信するように構成されている。データ操作ネットワークの例は、２０１３年２月５日に出願され、“位置情報を通信アッセンブリ内に設けられた通信サブアッセンブリと関連づけるためのシステムおよび方法”と題した米国仮出願第６１/７６０,８１６号で見つけられ得る。米国仮出願第６１/７６０,８１６号の開示内容は参照することにより本明細書に組み入れられる。
【００２５】
第１コネクタ装置１２０がアダプター１１０の第１ポート端部１１２内に受容される際、第１媒体読取インターフェース１１６は、保管デバイス１２５内に保存された情報を（例えば電子プロセッサにより）読み取ることができるように構成されている。第１コネクタ装置１２０から読み取られた情報はプリント回路ボード１１５を通じて物理層データ操作ネットワークに伝達され得る。第２コネクタ装置１３０がアダプター１１０の第２ポート端部１１４内に受容される際、第２媒体読取インターフェース１１８は、保管デバイス１３５内に保存された情報を（例えば電子プロセッサにより）読み取ることができるように構成されている。第２コネクタ装置１３０から読み取られた情報はプリント回路ボード１１５又は別の回路ボードを通じて物理層データ操作ネットワークに伝達され得る。
【００２６】
ある態様では、保管デバイス１２５，１３５および媒体読取インターフェース１１６，１１８は少なくとも３つのリード（電力リード、接地（又はアース;ground）リードおよびデータリード）をそれぞれ含む。保管デバイス１２５，１３５の３つのリードは、対応する媒体セグメントが対応するポート内に挿入される際、媒体読取インターフェース１１６，１１８の３つの対応するリードと電気接触をする。他の例示態様では、２つのラインインターフェースは単一の電荷ポンプを用いて使用される。更に他の態様では、追加のリードが（例えば潜在的な将来の用途のため）供され得る。従って、保管デバイス１２５，１３５および媒体読取インターフェース１１６，１１８は４つのリード、５つのリード、６つのリード等をそれぞれ含んでよい。
【００２７】
図２〜５は図１のコネクタ装置１２０，１３０のいずれかを実行するために適した一態様の光コネクタ１５０を示す。光コネクタ１５０は、ラッチ１５３を含むコネクタボディ１５１又はコネクタ１５０をアダプターポートに取り付け可能にする他の取付け機構を含む。ある態様では、光コネクタ１５０は、１つ以上の電気コンタクト１５４をコネクタボディ１５１に連結（又は接続;couple）し得るコンタクト領域１５２を含む。例えば、コンタクト１５４はコネクタボディ１５１に又は内に設けられる回路ボードに設置され得る。コンタクト１５４は、コネクタ１５０および/又はコネクタ１５０により終端接続される光ファイバーに関連する物理層情報を保有する記憶デバイス又は保管デバイスに電気的に接続されている。
【００２８】
また、図１の媒体読取インターフェース１１６，１１８のいずれかを実行するために適した一態様のコンタクト・アッセンブリ１６０が示される。コンタクト・アッセンブリ１６０は１つ以上の電気コンタクト１６２を一体的に保持するボディ１６１を含む。電気コンタクト１６２の各々は、コネクタ１５０がコンタクト・アッセンブリ１６０と接触する際（図５参照）、電気コンタクト１６２がコネクタコンタクト領域１５２で電気コンタクト１５４の１つと触れる（例えば電気コンタクト１５４の１つに対して押し付ける、電気コンタクト１５４の１つに沿ってスワイプする（;swipe）等）コンタクトセクション１６３を含む。例えば、コンタクトセクション１６３は、コネクタ１５０が光アダプターの対応するポート端部内にプラグ接続される際にコネクタコンタクト１５４と触れ得る。コネクタ１５０がコンタクト・アッセンブリ１６０と接触する際、コネクタコンタクト１５４との係合により、ボディ１６１に向かってコンタクト・アッセンブリ・コンタクト１６２のコンタクトセクション１６３の撓みが生じる（図５参照）。
【００２９】
アダプターにてコンタクト・アッセンブリによりプラグコネクタから物理層情報をどのように読み取り得るかについての追加の情報は米国公報第２０１１−０２６２０７７号で見つけることができる。当該公報の開示内容は参照することにより本明細書に組み入れられる。
【００３０】
ある態様では、コンタクト・アッセンブリ１６０はボディ１６１から外側に向かって延在するセンシングコンタクト１６６を含む。第１のコンタクト１６２はセンシングコンタクト１６６と一直線に並ぶ延在部１６４を含む。光コネクタ１５０がコンタクト・アッセンブリ１６０から離隔している際、延在部１６４はセンシングコンタクト１６６から離隔している（図３）。コンタクト・アッセンブリのコンタクト１６２のコンタクトセクション１６３がボディ１６１に向かって撓んでいる際、延在部１６４はセンシングコンタクト１６６に向かって撓む。延在部１６４における第１コンタクト領域１６５がセンシングコンタクト１６６における第２コンタクト領域１６７と触れる（例えば第２コンタクト領域１６７に対して押し付ける、第２コンタクト領域１６７に沿ってスワイプする等）（図５．）（;swipe）））。それにより、第１コンタクト１６２およびセンシングコンタクト１６６を一体的に短絡させる。データ操作ネットワークの電子プロセッサ又は他の部分は、コネクタ１５０をアダプターポート内にいつ挿入したかを特定するためにコンタクト１６２，１６６をいつ一体的に短絡させるかを決定する。
【００３１】
ある態様では、コンタクト・アッセンブリのボディ１６１はアダプターブロック内に規定されたアパーチャーに取り付けられるように構成されている。他の態様では、コンタクト・アッセンブリのボディ１６１は回路ボード又は他の表面に取り付けられるように構成されている。例えば、特定の態様では、ボディ１６１は、アパーチャー内に受容される、表面に規定されたボディ１６１から外側に向かって延在する１つ以上のペグ１６８を含み得る。示される例示態様では、ボディ１６１はコンタクトセクション１６３から離れるように延在する２つのペグ１６８を規定する。特定の態様では、コンタクト・アッセンブリのボディ１６１は、（例えば光コネクタ１５０がコンタクト・アッセンブリ１６０と係合する際に）コンタクト１６２の撓みを供するテーパーセクション１６９を規定する。
【００３２】
コンタクト・アッセンブリ１６０として使用するために適した一態様に係るコンタクト・アッセンブリに関する更なる詳細は、２０１３年７月８日に出願され、“操作接続性を有した光アッセンブリ”と題した同時係属の米国仮出願第６１/８４３,７５２号に示され、記載されている。米国仮出願第６１/８４３,７５２号の開示内容は参照することにより本明細書に組み込まれる。
【００３３】
本開示のある態様に従えば、１つ以上のコンタクト・アッセンブリ１６０はアダプターブロック・アッセンブリに設けられ得る。図６〜４５はコンタクト・アッセンブリ１６０を受容するために適したコネクタアッセンブリの様々な例示態様を示す。各アダプターブロック・アッセンブリは少なくとも第１アダプターブロック、少なくとも回路ボード、および少なくとも第１カバーを含む。１つ以上のコンタクト・アッセンブリ１６０は第１アダプターブロックと第１回路ボードとの間に配置される。特定の態様では、第１回路ボードはコンタクト・アッセンブリ１６０を第１アダプターブロックに保持する。特定の態様では、第１カバーは第１回路ボードを第１アダプターブロックに保持する。他の態様では、第１カバーは第１回路ボードに設けられる。特定のタイプのコネクタアッセンブリは結合（又は接続又は接合又は連接;joining）部材を用いて一体的に連結されたマルチプルアダプターブロックを含み得る。特定のタイプのコネクタアッセンブリは、単一の回路ボードに設けられた単一カバー又はマルチプルカバーにより一体的に保持されたマルチプル回路ボードを含み得る。
【００３４】
図６〜２０は図１のアダプターブロック・アッセンブリ１１０を実行するために適した第１例示態様のアダプターブロック・アッセンブリ２００を示す。アダプターブロック・アッセンブリ２００は、前部２０１、背部２０２、上部２０３、底部２０４、第１側部２０５、および第２側部２０６を有する。前部２０１、背部２０２、および側部２０５，２０６により規定されたアダプターブロック・アッセンブリ２００の外周（又は周囲又は周縁;periphery）２０７は互い違いに配置された（交互ジグザグに配置された;staggered）形態を規定する。挿入軸Ａに沿って（図１１参照）光コネクタ（例えば光コネクタ１５０）を受容するためのポート２１２はアダプターブロック・アッセンブリ２００の前部２０１および背部２０２に供される。ある態様では、隣接するポート２１２は相互に前側に向かって/後側に向かって互い違いに配置されている。示される例示態様では、一対の隣接するポート２１２は相互に前側に向かって/後側に向かって互い違いに配置されている。ポート２１２の互い違いの配置により、ポート２１２内にプラグ接続された各コネクタ１５０へのアクセスが向上される。
【００３５】
互い違いに配置された形態を有するアダプターブロック又は他のコネクタアッセンブリについての追加の情報は、２０１３年１月９日に出願され、“光ファイバーアダプターブロック”と題した米国公報第２０１３−０１８３０１８号で見つけることができる。当該公報の開示内容は参照することにより本明細書に組み入れられる。
【００３６】
図７に示すように、アダプターブロック・アッセンブリ２００は第１アダプターブロック２１０Ａ、第２アダプターブロック２１０Ｂ、結合部材２２０、回路ボード２３０、およびカバー２４０を含む。結合部材２２０は第１アダプターブロック２１０Ａおよび第２アダプターブロック２１０Ｂを一体的に連結する。回路ボード２３０は結合された第１アダプターブロック２１０Ａおよび第２アダプターブロック２１０Ｂに連結する。コンタクト・アッセンブリ１６０および回路ボード・コンポーネント２３４（例えばメモリー）は回路ボード２３０に設けられる。コンタクト・アッセンブリ１６０はアダプターブロック２１０Ａ，２１０Ｂに対して面している。カバー２４０は回路ボード２３０のコンポーネント２３４の少なくともいくつかにわたって延在する。
【００３７】
図８はポート２１２の１つの挿入軸Ａに沿ったアダプターブロック・アッセンブリ２００の断面図である。右側ポート２１２内にプラグ接続された第１光コネクタ１５０が示されており、左側ポート２１２は空である状態が示されている。光コネクタ１５０のフェルールは左側ポート２１２と右側ポート２１２との間に配置されたスリーブ２０８で保持されている。スリーブ２０８は、対向するポート２１２に挿入されたコネクタ１５０のフェルールを一直線上に置き、保持するように構成されている。コネクタ１５０のラッチアーム１５３はアダプターブロック２１０の内部に掛止し（又はラッチし又はラッチで止まり;latch）、又は取り付いている。
【００３８】
コンタクト・アッセンブリ１６０はアダプターブロック２１０と回路ボード２３０との間に配置されている。右側コンタクト・アッセンブリ１６０は右側ポート２１２に対応し、左側コンタクト・アッセンブリ１６０は左側ポート２１２に対応する。コンタクト・アッセンブリ１６０のコンタクト１６２はアダプターブロック２１０内のアパーチャーを通じて延在する。コンタクト１６２は、コンタクトセクション１６３が対応するポート２１２に受容される光コネクタ１５０のコンタクト領域１５２と一直線上になるように位置付けられ、方向付けされる。ペグ１６８は回路ボード２３０内に延在する。
【００３９】
ある態様では、回路ボード２３０はアダプターブロック２１０と面一で設けられる。例えば、特定の態様では、回路ボード２３０は端部セクション２１８間のアダプターブロック２１０の凹型領域２１４内に設けられ得る（例えば、図９および図１０参照）。回路ボード２３０の外周はポート２１２に対して内側に向かって凹んでいる。例えば、特定の態様では、アダプターブロック２１０は前面ポート２１２および背面ポート２１２を規定するために端部セクション２１８から下方向におよび外側に向かって延在する前面および背面湾曲セクション２１６を規定する。回路ボード２３０は凹型領域２１４に据え付く底面２３２および端部セクション２１８の上部と略同じレベルである上面２３１を有する。特定の態様では、回路ボード２３０の第１表面２３１に設けられたコンポーネント２３４は端部セクション２１８の上部を上側方向に向かって通じるように延在する。
【００４０】
図８を参照すれば、カバー２４０は回路ボード２３０の第１表面２３１にわたって延在する。カバー２４０は、回路ボード２３１から離隔して面する上面２４１および回路ボード２３２に向かって面する底面２４２を有する。ある態様では、カバー２４０（例えば、第２表面２４２）は第１表面２３１に据え付く。他の態様では、カバー２４０の外周は端部セクション２１８に据え付く。高くなった（又は隆起した;raised）第２表面２４２により規定されたカバー２４２の中空セクション（又は中空部;hollow section）は、回路ボードのコンポーネント２３４を収容する（又は供する;accommodate）ように回路ボード２３０の第１表面２３１にわたり延在する。
【００４１】
特定の態様では、カバー２４０の外周は端部セクション２１８の一部にのみ据え付く。例えば、カバー２４０の外周はポート２１２へのアクセスを向上させるためにポート２１２から内側に向かって凹ませ得る。ある態様では、カバー２４０の外周は前面および背面湾曲部２１６から内側に向かって凹ませ得る。ある態様では、カバー２４０はカバー２４０の前部および背部で傾斜した又はテーパー状セクション２４５を規定し得る。テーパー状セクション２４５は、カバー２４０がアダプターブロック２１０に設けられる際に、ポート２１２への指によるアクセスをブロックし得るマテリアル（又は材料又は器具又は用具;material）を減じることでポート２１２へのアクセスを更に向上させる。
【００４２】
図１１および図１２はアダプターブロック・アッセンブリ２００での使用に適したある例示態様のアダプターブロック２１０を示す。アダプターブロック２１０は複数の前面および背面ポート２１２を規定するブロックボディ２１１を含む。前面ポート２１２は背面ポート２１２と一直線上にある。前面ポート２１２は共通（例えば水平）軸に沿って延在する横列を形成する。また、背面ポート２１２も共通（例えば水平）軸に沿って延在する横列を形成する。アダプターブロック２１０の上部は前端部セクション２１８と後端部セクション２１８との間に凹型領域２１４を規定する。アパーチャー２１５は凹型領域２１４内に規定され、アダプターブロック２１０の中空内部に延在する。
【００４３】
ある態様では、前面ポート２１２は概して相互に面一になるように設けられている。しかしながら、他の態様では、アダプターブロック２１０の外周は、いくつかの前面ポート２１２がそれ以外の他の前面ポート２１２に対して挿入軸に沿って前側方向/後側方向にずらされる（又は偏位する;offset）ように互い違いに配置された形態を有することができる。ある態様では、隣接する前面ポート２１２は相互に前側方向/後側方向にずらされている。示される例示態様では、アダプターブロック２１０のセクションは相互に前側方向/後側方向にずらされている。例えば、アダプターブロック２１０の第１セクション２１３Ａはアダプターブロック２１０の第２セクション２１３Ｂに対して後側方向にずらされている（図１１参照）。特定の態様では、各セクション２１３Ａ，２１３Ｂは少なくとも１つの前面ポート２１２および少なくとも１つの背面ポート２１２を規定する。ある態様では、各セクション２１３Ａ，２１３Ｂは２つの前面ポート２１２および２つの背面ポート２１２をそれぞれ規定する。
【００４４】
ある態様では、アダプターブロック２１０は１つ以上のアダプターブロック２１０におよび/又はトレイ、ブレード、引き出し、トレイ、又は他の構造体（以下“トレイ”と言う）に連結されるように構成されている。特定の態様では、各アダプターブロック２１０はアダプターブロック２１０の少なくとも１つの側部２０５，２０６から外側に向かって延在する係合部材２１７を含む。ある例示態様では、係合部材２１７はアダプターブロック２１０の側部２０５および側部２０６の両方から外側に向かって延在する。特定の態様では、係合部材２１７はアダプターブロック２１０の上方又は下方から見た際にＴ字状の輪郭（又はプロファイル;profile）を有する。例えば、係合部材２１７はアダプターブロック２１０の側部２０５，２０６から外側に向かって延在する第１部分２１７ａおよび第１部分２１７ａを横切って概して直交するように延在する第２部分２１７ｂを有し得る（図１２参照）。特定の態様では、止め（又はストップ;stop）部材２１９もアダプターブロック２１０の対向する側部２０５，２０６から外側に向かって延在する。
【００４５】
図１３〜１７を参照すれば、２つ以上のアダプターブロック２１０は結合部材２２０を用いて一体的に結合され得る。図１３に示すように、結合部材２２０はアダプターブロック２１０の係合部材２１７を受容する大きさである１つ以上の内部キャビティ２２２を規定するボディ２２１を含む。図１５に示す例示態様では、結合部材２２０は第２内部キャビティ２２２Ｂから離隔する第１内部キャビティ２２２Ａを含む。特定の態様では、２つのキャビティ２２２は、２つのアダプターブロック２１０を端と端とで一体的に保持するために結合部材２２０の対向する側部に形成される。ある例示態様では、各内部キャビティ２２２Ａ，２２２ＢはＬ字形状を形成するために結合部材の２つの隣接する側部に沿って延在する。
【００４６】
各キャビティ２２２は、結合部材２２の開口底部（図１５）、結合部材の上部に規定された各アパーチャー２２４（図１６）、および結合部材ボディ２２１の側部の１つに規定された各スロット２２３（図１４）を通じてアクセス可能となっている。結合部材２２０のスロット２２３は、アダプターブロック係合部材２１７がキャビティ２２２の１つに進入することが可能な大きさを有している（図１３）。例えば、係合部材２１７は、スロット２２３を通過する係合部材２１７の第１部分２１７ａで結合部材２２０の開口底部を通じてキャビティ２２２内に摺動され得る。係合部材２１７の第２部分２１７ｂは係合部材２２０に対して横方向にアダプターブロック２１０を保持するためにボディ２２１に対して当接している（図１３）。
【００４７】
ある態様では、ラッチフック２２５は結合部材２２０のキャビティ２２２の各々内に下側方向に向かって延在する。例えば、図１７では、第１ラッチフック２２５Ａはキャビティ２２２Ａ内に下側方向に向かって延在し、第２ラッチフック２２５Ｂはキャビティ２２２Ｂ内に下側方向に向かって延在する。各ラッチフック２２５Ａ，２２５Ｂは結合部材２２０の上部に向かって面する肩部２２６を規定する。各ラッチフック２２５Ａ，２２５Ｂはキャビティ２２２Ａ，２２２Ｂ内で横方向に撓むように構成されている。係合部材２１７がキャビティ２２２内に摺動される際、係合部材２１７のセクション部分２１７ｂは、ラッチフック２２５がスロット２２３から離れてずれるようにラッチフック２２５に対して押圧する。係合部材２１７がキャビティ２２２内に完全に挿入される際、ラッチフック２２５は、キャビティ２２２内に係合部材２１７を保持するために係合部材２１７のセクション部分２１７ｂ上でパチンと留まる（又はスナップする;snap）（図１３参照）。
【００４８】
図１８はアダプターブロック・アッセンブリ２００の使用に適した一態様に係る回路ボード装置を示す。例示の回路ボード装置は第２表面２３２に設けられたコンタクト・アッセンブリ１６０を有する回路ボード２３０を含む。ある態様では、回路ボード２３０の外周２３３は、コンタクト・アッセンブリ１６０のいくつかがそれ以外の他のコンタクト・アッセンブリ１６０に対して前側方向/後側方向に更に設けられるように互い違いに配置された形態を有する。図７に示す例示態様では、互い違いに配置された形態の回路ボード２３０は互い違いに配置された形態のアダプターブロック２１０と概して一直線上に並んでいる。
【００４９】
図１８に示される回路ボード２３０は２つの異なるアダプターブロック２１０に連結するように構成されている。例えば、回路ボード装置２３０は２つのアダプターブロック２１０を一体的に連結する結合部材２２０上に延在する大きさの中間部２３６を含む。回路ボードコネクタ２３５は中間部２３６にて回路ボード２３０の第２表面２３２から下側方向に向かって延在する。回路ボードコネクタ２３５は、本明細書でより詳細に開示されるが回路ボード２３０（例えば回路ボード２３０上のコンポーネント２３４およびコンタクト１６０）を第２回路ボード又は他の電気回路に電気接続するように構成されている。特定の態様では、結合部材２２０はアダプターブロック２１０間に、回路ボード２３０の外周内に回路ボードコネクタ２３５の通路を供する（又は収容する;accommodate）大きさを有している。
【００５０】
図１９および図２０はアダプターブロック・アッセンブリ２００を例示のトレイ２５０に設ける態様を示す。トレイ２５０は少なくとも１つのアダプターブロック・アッセンブリ２００を受容するように構成されている。ある態様では、トレイ２５０もアダプターブロック・アッセンブリ２００のポート２１２に送られた光ファイバー/ケーブルを操作するように構成されている。図１９に示される例示態様では、トレイ２５０は２つのサイドレール２５１と２５２との間に延在するクロス部材２５３を含む。搭載（又は取付又は実装又は据付;mounting）レール２５４はクロス部材２５３間で延在する。ある態様では、ラッチフィンガー２５６が搭載レール２５４から上側方向に向かって延在する。
【００５１】
ラッチフィンガー２５６は、アダプターブロック・アッセンブリ２００をトレイ２５０に更に取り付けるためにアダプターブロック・アッセンブリ２００（例えば、結合部材２２０）と係合するように構成されている。特定の態様では、２つのラッチフィンガー２５６が、結合部材２２０の上部をこえて掛止するために、結合部材２２０内に規定されたキャビティ２２２を通じて、および結合部材２２０の上部に規定されたアパーチャー２２４を通じて上側方向に延在する。他の態様では、ラッチ部材２５６は結合部材２２０内に規定された肩部をこえて掛止する。更に他の態様では、別のタイプのアダプターブロック・アッセンブリの取付構造体が搭載レール２５４に配置され得る。
【００５２】
搭載（又は取付又は実装;mounting）構造体２５５はサイドレール２５１，２５２の内側側部に供される。特定の態様では、搭載構造体２５５は横方向に並べられている。搭載構造体２５５はアダプターブロック２１７の係合部材２１７を受容するように構成されている。例えば、搭載構造体２５５は、アダプターブロック・アッセンブリ２００の側部２０５，２０６から外側方向に向かって延在する係合部材２１７を受容する。例示態様では、各搭載構造体２５５は、係合部材２１７が摺動可能な開口上部を有するＴ字形状キャビティを規定する。また、各搭載構造体２５５は係合部材２１７が据え付くことが可能なシェルフ（又は棚;shelf）を含む。
【００５３】
特定の態様では、トレイ２５０はラック、キャビネット、又は他の搭載構造体に対して移動可能である（例えば、摺動可能である、枢動する等）。例えば、サイドレール２５１，２５２の外表面が保持構造体のガイドと相互作用するガイド２５８を含み得る。特定の態様では、トレイ２５０は、トレイ２５０に進む光ファイバー/ケーブルの進行経路を形成するケーブル操作ガイド２５９を含む。操作ガイド２５９はトレイ２５０の移動中に光ファイバー/ケーブルの操作を助力し得る。
【００５４】
ある態様では、トレイ２５０はアダプターブロック・アッセンブリ２００とデータ操作ネットワークとの間に電気接続を供する。ある態様では、電気回路（例えば第２回路ボード）は搭載レール２５４に設けられる。例えば、搭載レール２５４および/又は１つ以上のクロス部材２５３は回路ボードに適合する大きさのポケット又はチャネルを規定し得る（例えば図４６参照）。回路ボードは、アダプターブロック・アッセンブリ２００内のプリント回路ボード２３０の回路ボードコネクタ２３５を受容するように構成されたコネクタ（例えば、ピンレセプタクル）を含む。ある態様では、回路ボードは、回路ボードがシャーシ電気回路（例えば、バックプレーン、ケーブル等）に接続可能である第２サイドレール２５２内のアパーチャーに向かって搭載レール２５４およびクロス部材２５３の一方の少なくとも一部にわたり延在する。
【００５５】
他の態様では、電気ケーブル（例えば可撓性ケーブル）又は他の回路がシャーシ電気回路から第２サイドレール２５２内のアパーチャーを通じて延在し、クロス部材２５３の少なくとも一部を横切って延在し、および第２回路ボードに接続する。カバーは可撓性回路を保護するためにクロス部材チャネル上に位置付けられ得る。ある例示態様では、カバーはクロス部材２５３に（例えばラッチ２５６を使用して）掛止され、又はクロス部材２５３に取り付けられる。特定の態様では、シャーシ電気回路はアダプターブロック・アッセンブリ２００から得られるデータを操作するためのローカルプロセッサを含む。他の態様では、シャーシ電気回路は、データをデータ操作ネットワークに伝送可能なデータポートを含む。
【００５６】
図２１〜３５は、図１のアダプターブロック・アッセンブリ１１０を実行するために適した第２の例示態様のアダプターブロック・アッセンブリ３００を示す。アダプターブロック・アッセンブリ３００は、前部３０１、背部３０２、上部３０３、底部３０４、第１側部３０５、および第２側部３０６を有する。前部３０１、背部３０２、および側部３０５，３０６により規定されたアダプターブロック・アッセンブリ３００の外周３０７は互い違いに配置された（交互ジグザグに配置された;staggered）形態を規定する。挿入軸に沿って光コネクタ（例えば光コネクタ１５０）を受容するためのポート３１２は第２アダプターブロック・アッセンブリ３００の前部３０１および背部３０２に供される。ある態様では、隣接するポート３１２は相互に前側に向かって/後側に向かって互い違いに配置されている。示される例示態様では、一対の隣接するポート３１２は相互に前側に向かって/後側に向かって互い違いに配置されている。ポート３１２の互い違いの配置により、ポート３１２内にプラグ接続された各コネクタ１５０へのアクセスが向上される。
【００５７】
図２３に示すように、アダプターブロック・アッセンブリ３００は第１アダプターブロック３１０Ａ、第２アダプターブロック３１０Ｂ、結合部材３２０、回路ボード３３０、第１カバー３４０Ａ、第２カバー３４０Ｂ、および中間カバー３５０を含む。結合部材３２０は第１アダプターブロック３１０Ａおよび第２アダプターブロック３１０Ｂを一体的に連結する。回路ボード３３０は結合された第１アダプターブロック３１０Ａおよび第２アダプターブロック３１０Ｂに据え付く。第１カバー３４０Ａおよび第２カバー３４０Ｂは、本明細書でより詳細に開示されるが回路ボード３３０にわたって配置され、アダプターブロック３１０Ａ，３１０Ｂに連結する。中間カバー３５０は第１カバー３４０Ａと第２カバー３４０Ｂとの間の回路ボード３３０の中間部３３６にわたって延在する。他の態様では、カバー３４０Ａ，３４０Ｂ，３５０は単一片として形成され得る。更に他の態様では、回路ボード３３０は多数の片に分けられ得る。
【００５８】
コンタクト・アッセンブリ１６０および回路ボード・コンポーネント３３４（例えばメモリー）は回路ボード３３０に設けられる。例えば、少なくともコンポーネント３３４のいくつかは回路ボード３３０の第１側部３３１に設けられ、コンタクト・アッセンブリ１６０は回路ボード３３０の第２側部３３２に設けられ得る。コンタクト・アッセンブリ１６０は、回路ボード３３０がアダプターブロック３１０とカバー３４０との間に配置される際にアダプターブロック３１０Ａ，３１０Ｂに向かって面する。カバー３４０Ａ，３４０Ｂは回路ボード３３０の少なくともいくつかのコンポーネント３３４にわたって延在する。ある態様では、カバー３４０Ａ，３４０Ｂはアダプターブロック３１０Ａ，３１０Ｂに取り付けられ、それによりその間にある回路ボード３３０を保持する。
【００５９】
図２４および図２５はアダプターブロック３１０Ａ，３１０Ｂとしての使用に適したある例示態様のアダプターブロック３１０を示す。例示のアダプターブロック３１０は１つ以上の前面ポート３１２および１つ以上の背面ポート３１２を規定するアダプターボディ３１１を含む。各前面ポート３１２は背面ポート３１２の１つと一直線上にある。前面ポート３１２は共通（例えば水平）軸に沿って延在する横列を形成する。また、背面ポート３１２も共通（例えば水平）軸に沿って延在する横列を形成する。
【００６０】
ある態様では、前面ポート３１２は概して相互に面一になるように設けられている。しかしながら、他の態様では、アダプターブロック３１０の外周は、いくつかの前面ポート３１２がそれ以外の他の前面ポート３１２に対して挿入軸に沿って前側方向/後側方向にずらされる（又は偏位する;offset）ように互い違いに配置された形態を有することができる。ある態様では、隣接する前面ポート３１２は相互に前側方向/後側方向にずらされている。示される例示態様では、アダプターブロック３１０のセクションは相互に前側方向/後側方向にずらされている。例えば、アダプターブロック３１０の第１セクション３１３Ａはアダプターブロック３１０の第２セクション３１３Ｂに対して後側方向にずらされている（図２４参照）。特定の態様では、各セクション３１３Ａ，３１３Ｂは少なくとも１つの前面ポート３１２および少なくとも１つの背面ポート３１２を規定する。ある例示態様では、各セクション３１３Ａ，３１３Ｂは２つの前面ポート３１２および２つの背面ポート３１２をそれぞれ規定する。
【００６１】
アダプターブロック３１０の上部は前端部セクション３１８と後端部セクション３１８との間に凹型領域３１４を規定する。凹型領域３１４により設けられる回路ボード３３０をアダプターブロック３１０と面一にすることができる。例えば、凹型領域３１４に設けられる回路ボード３３０は前端部セクションと後端部セクション３１８の上部と面一になる。アパーチャー３１５は凹型領域３１４内に規定され、アダプターブロック３１０の中空内部に延在する。回路ボード３３０のコンタクト・アッセンブリ１６０は、回路ボード３３０が凹型領域３１４に配置される際にアパーチャー３１０を通じて延在する。特定の態様では、アダプターブロック３１０は前面ポート３１２および背面ポート３１２を規定するために端部セクション３１８から下側方向におよび外側に向かって延在する前面および背面湾曲セクション３１６を規定する。
【００６２】
アダプターブロック３１０はカバー３４０に掛止するように構成されている。例えば、ある態様では、アダプターブロック３１０はアダプターブロック３１０の上部から上側方向に向かって延在するラッチアーム３６１を含み得る。ラッチアーム３６１はラッチアーム３６１から外側に向かって延在するラッチフック３６２を含む。示される例示態様では、前側ラッチアーム３６１および後側ラッチアーム３６１はアダプターブロック３１０の各セクション３１３で上側方向に向かって延在する（図２４参照）。他の態様では、多数又は少数のラッチアーム３６１がアダプターブロック３１０から上側方向に向かって延在し得る。
【００６３】
図２６〜２９は、カバー３４０をアダプターブロック３１０に取り付けるためにラッチアーム３６１を受容するように構成されている例示態様のカバー３４０を示す。例示のカバー３４０は、アダプターブロック３１０から離れて面する第１表面３４１、アダプターブロック３１０に向かって面する第２表面３４２、および第１表面３４１と第２表面との間に延在する外周３４３を有する。ある態様では、カバー３４０は、アダプターブロック３１０のポート３１２（およびポート３１２内に挿入されたコネクタ）へのアクセスを向上させるためにアダプターブロック３１０の外周から内側方向に向かって凹むような大きさとなっている。特定の態様では、カバー３４０は第１表面３４１と外周３４３との間に延在するテーパー状の又は面取りされた端部３４４を規定する。
【００６４】
また、カバー３４０は、カバー３４０の第１表面３４１および第２表面３４２を通じて延在する貫通開口部３４７を規定する。貫通開口部３４７はラッチアーム３６１よりも幅が広い。また、カバー３４０は貫通開口部３４７に隣接したプラットフォーム３４８を規定する。図２７に示すように、各貫通開口部３４７は、全ラッチアーム３６１がラッチアームを撓ませることなく貫通開口部３４７を通過可能な大きさを有する第１部分３４７ａを含む。また、貫通開口部３４７はプラットフォーム３４８に隣接した第２部分３４７ｂを規定する。第２部分３４７ｂは小さすぎて、ラッチアーム３６１のラッチフック３６２が第２部分を通過できない。従って、カバー３４０がアダプターブロック３１０に設けられる際、ラッチアーム３６１は貫通開口部３４７の第１部分３４７ａを通じて挿入される。アーム３６１のラッチフック３６２が開口部３４７を通過する際、カバー３４０は、プラットフォーム３４８がアーム３６１のラッチフック３６２の下方に配置されるように横方向に移される。プラットフォーム３４８は、ラッチアーム３６１の経路が貫通開口部３４７を通じて戻ることを回避する。ラッチフック３６２とプラットフォーム３４８との間の摩擦および接触力は、カバー３４０の再度の横方向の動きがラッチフック３６２を第１貫通開口部３４７ａと一直線上にすることを回避する。
【００６５】
図２８に示すように、カバー３４０の第２表面３４２はカバー３４０の外周３４３を通じて延在する凹部３４６を規定する。凹部３４６は回路ボード３３０に設けられるＬＥＤ又は他の光表示器を収容する。表示器からの光はアダプターブロック３１０のセクションを特定するために外周内の凹部３４６を通じて輝くことが可能である。例えば、カバー３４０はアダプターブロック３１０の各ポート３１２のための凹部３４６を規定し得る。そのような態様では、凹部３４６は対応する表示器により特定される各ポート３１２と一直線上にある。
【００６６】
ある態様では、アダプターブロック３１０は１つ以上のアダプターブロック３１０に連結されるようにおよび/又はトレイ（例えば、図１９〜２０のトレイ２５０）又は他の構造体に連結されるように構成されている。特定の態様では、各アダプターブロック３１０はアダプターブロック３１０の少なくとも１つの側部３０５，３０６から外側方向に向かって延在する係合部材３１７を含む。例示態様では、係合部材３１７はアダプターブロック３１０の側部３０５，３０６の両方から外側に向かって延在する。
【００６７】
特定の態様では、係合部材３１７は、アダプターブロック３１０の側部３０５，３０６から見た際にＨ字状輪郭を有する。例えば、係合部材３１７は、アダプターブロック３１０の側部３０５，３０６から外側に向かって延在する２つのＬ字状のフランジ３１７ａ、フランジ３１７ａ間に延在するシェルフ（又は棚;shelf）３１７ｂ、アダプターブロック３１０の側部３０５，３０６に向かってシェルフ３１７ｂから内側に向かって延在する傾斜又はテーパー状のセクション３１７ｃを有し得る。Ｌ字状のフランジ３１７ａはアダプターブロック３１０の前側方向に向かっておよび後側方向に向かって面する（図２４参照）。特定の態様では、止め部材３１９もアダプターブロック３１０の対向する側部３０５，３０６から外側に向かって延在する。
【００６８】
図３０〜３３を参照すれば、２つ以上のアダプターブロック３１０は結合部材３２０を使用して一体的に連結され得る。図３０に示すように、結合部材３２０は概して中空内部に繋がる開口底部を規定するボディ３２１を含む。また、結合ボディ３２１は中空内部に繋がるボディ３２１の第１端部および第２端部に開口部３２２を規定する。結合部材３２１の上部は、回路ボード３３０の中間部３３６が結合ボディ３２１上に延在できるように構成されている。例えば、特定の態様では、ボディ３２１は、回路ボード３３０とアダプターブロック３１０の下方に配置された電気回路とを接続可能とするため、回路ボードコネクタ３３５が通過可能なアパーチャー３２７を規定する（図２２参照）。
【００６９】
ボディ３２１の側壁は、アダプターブロック３１０の係合部材３１７を受容する大きさである１つ以上の受容スロット３２３を規定する。図３２に示される例示態様では、結合部材３２０は、結合部材３２０の第１側壁に第１受容スロット３２３Ａおよび結合部材３２０の対向する側壁に第２受容スロット３２３Ｂを含む。結合部材３２０は２つのアダプターブロック３１０を端と端とで一体的に保持する（図２１および図２２参照）。各受容スロット３２３は結合部材３２０の上部および対応する側部を通じて延在する。スロット３２３は、アダプターブロック係合部材３１７（例えば、フランジ３１７ａ）が結合部材３２０の上部を通じてスロット３２３に進入可能な大きさを有している。
【００７０】
ある態様では、結合部材３２０は１つ以上の受容スロット３２３内に上側方向に向かって延在するラッチアーム３２４を含む。ラッチアーム３２４はアーム３２４から外側に向かって延在するラッチフック３２５を含む。アダプターブロック３１０の係合部材３１７が受容スロット３２３内に摺動される際、係合部材３１７の斜面３１７ｃは、ラッチフック３２５がシェルフ３１７ｂを通過するまで内側方向に向かってアーム３２４を撓ませるためにラッチフック３２５に対して駆動（;cam）する。アーム３２４は、ラッチフック３２５がシェルフ３１７ｂに引っ掛かる（;catch on）ように初期の位置に戻る。ラッチアーム３２４は、アダプターブロック３１０が結合部材３２０との係合部から抜け出すことを回避する。
【００７１】
ある態様では、結合部材３２０の対向する側部は受容スロット３２３に隣接した第２スロット３２６をそれぞれ規定する。第２スロット３２６は結合部材３２０の側部を通じて完全に延在していない。第２スロット３２６は、アダプターブロック係合部材３１７が受容スロット３２３内に摺動される際に止め部材３１９を受容する大きさを有している。第２スロット３２６と止め部材３１９の相互作用により、アダプターブロック３１０が結合部材３２０を通じて至る所に摺動することが回避される。ある態様では、結合ボディ３２１は、受容スロット３２３に隣接してボディ３２１から外側方向に向かって延在する突起部３２９を含む。例えば、突起部３２９は側壁において受容スロット３２３の下方に配置され得る。特定の態様では、アダプターブロック３１０は、結合部材３２０を通過するよなアダプターブロック３１０の動作を回避するために突起部３２９に据え付き得る。
【００７２】
ある態様では、結合部材３２０はボディ３２１の第１開口端部および第２開口端部の各々に配置される保持部材３２８を含む。例えば、各保持部材３２８はボディ３２１の上部に形成され、各端部開口部３２２に対して面している。特定の態様では、保持部材３２８はボディ３２１の開口端部に対して内側方向に向かってボディ３２１の上部内で凹み得る。
【００７３】
図３４〜３５は、回路ボード３３０の中間部３３６にわたり設けるように構成されている例示態様の中間カバー３５０を示す。ある態様では、中間カバー３５０は結合部材３２０に連結するように構成されている。例えば、特定の態様では、中間カバー３５０は、２つのラッチアーム３５２が対向する端部で下側方向に向かって延在するボディ３５１を含む。各ラッチアーム３５２は、結合部材ボディ３２１の端部の保持部材３２８にスナップフィット接続する、掛止する又は取り付けるように構成されているラッチフック３５３を含む。中間カバー３５０は、回路ボード３３０の中間部分３３６に設けられた任意のコンポーネント３３４を収容する中空内部又は凹状内面を規定する。ある態様では、中間カバー３５０は第１カバー３４０Ａおよび第２カバー３４０Ｂに連結しないが、第１カバー３４０Ａと第２カバー３４０Ｂとの間に適合する（図２１参照）。他の態様では、中間カバー３５０は第１カバー３４０Ａおよび第２カバー３４０Ｂに連結され得る。
【００７４】
図３６および図３７を参照すると、アダプターブロック・アッセンブリの１つ以上のカバー片が熱杭を使用して１つ以上のアダプターブロックに取り付けられ得る。例えば、図３６および図３７は、アダプターブロック４１０、回路ボード４３０およびカバー４４０を含む第３例示態様のアダプターブロック・アッセンブリ４００を示す。示される例示態様では、これら３つのコンポーネントの各々は単一のピース（又は片;piece）ユニットから形成される。しかしながら、他の態様では、これらコンポーネントのいずれかはマルチプル（又は多数の;multiple）ピース（例えば、結合部材を有したマルチプルアダプターブロック、マルチプル回路ボード、マルチプルカバー片等）から形成され得る。特定の態様では、アダプターブロック・アッセンブリ４００はトレイ（例えば、図１９および図２０のトレイ２５０）又は他の構造体に設けるように構成され得る。
【００７５】
アダプターブロック４１０は複数の前面ポート４１２および背面ポート４１２を規定するボディ４１１を含む。アダプターボディ４１１は他のセクション４１３に対して前側方向に又は後側方向にずらされているいくつかのセクション４１３を含む。例えば、図３６に示される第１セクション４１３Ａは第２セクション４１３Ｂに対して前側方向に向かってずらされている(;offset)。しかしながら、他の態様では、アダプターブロック３１０のポート４１２は面一であってよい。ある態様では、アダプターブロックボディ４１１は、第１の側に第１群のポート４１２、第２の側に第２群のポート４１２、および第１群と第２群とを分ける中間部４１４を有する。中間部４１４はポート４１２を規定していない。
【００７６】
アダプターブロック４１０の上部は、コンタクト・アッセンブリ１６０を設けることを可能とするアパーチャー４１５を規定する。ある態様では、コンタクト・アッセンブリ１６０は各ポート４１２に配置される。他の態様では、コンタクト・アッセンブリ１６０は、アダプターブロックの前部と背部に交互に設けられたポート４１２および/又はアダプターブロック４１０の前部又は背部のみにあるポート４１２に配置され得る。熱杭４１６はアダプターブロック４１０の上部から上側方向に向かって延在する。示される例示態様では、前側熱杭４１６および後側熱杭４１６は、中間部４１４を除いてアダプターブロック４１０の各セクション４１３において上側方向に延在する。他の態様では、アダプターブロック４１０は任意の所望の数の熱杭４１６を含み得る。
【００７７】
回路ボード４３０は電気コンポーネント４３２を設けることが可能なボードボディ４３１を含む。また、回路ボードボディ４３１は、（例えば、コンタクトパッドを通じて）アッセンブリ１６０に電気的に連結（又は接続;couple）するように構成されている。回路ボードボディ４３１は、回路ボード４３０をアダプターブロック４１０に据え付ける際に熱杭４１６が延在する開口部４３３を規定する。
【００７８】
カバー４４０は、回路ボード４３０にわたって延在し、アダプターブロック４１０に取り付けるように構成されている。カバー４４０は、タブ（又はつまみ;tab）４４２が下側方向に向かって延在する上部プレート４４１を含む。タブ４４２は回路ボード４３０に据え付くように構成されている。例えば、ある態様では、タブ４４２はボードボディ４３１に据え付くように構成されている（図３７参照）。他の態様では、タブ４４２は回路ボード４３０のコンポーネント４３２に据え付くように構成され得る。タブ４４２は、上部プレート４４１下方の回路ボード・コンポーネント４３２を収容するために回路ボード４３０から十分に離して上部プレート４４１を持ち上げる。
【００７９】
カバー４４０はカバー４４０の上部プレート４４１を通じて延在する貫通孔４４３を規定する。貫通孔４４３は上部プレート４４１から下側方向に向かって延在するウェル４４４を介して規定される。貫通孔４４３は、回路ボード４３０およびカバー４４０がアダプターブロック４１０に設けられる際にアダプターブロック４１０の熱杭４１６の経路を収容する大きさを有している。ウェル４４４は上部プレート４４１の外表面に繋がるカウンターボア（又は穴;bore）４４５を規定する。カウンターボア４４５は熱杭４１６からテーパー状となっている貫通孔４４３の台形円錐部分である。特定の態様では、熱杭４１６はカバー４４０の上部プレート４４１を越えて延在する大きさを有する。
【００８０】
アダプターブロック・アッセンブリ４００を一体的に取り付けるために、熱杭４１６の先端部は溶融（又は溶解:melt）されている。溶融熱杭４１６は少なくとも部分的にカウンターボア４４５を満たす。特定の態様では、溶融熱杭４１６はカバー上部プレート４４１の外表面と概して面一である。他の態様では、溶融熱杭４１６はカバー上部プレート４４１から内側方向に向かって凹み、又はカバー上部プレート４４１から外側方向に向かって突き出ることができる。特定の態様では、カウンターボア４４５を満たす溶融熱杭材はウェル４４４を通じず、それによってアダプターブロック４１０からのカバー４４０の取り外れが回避される。例えば、溶融材はウェル４４４の内部断面寸法よりも大きい最大断面寸法を有する台形円錐形状又は他の形状を有し得る。特定の態様では、溶融熱杭材はアダプターブロック４１０からのカバー４４０の取り外れを回避するためにカバー４４０を形成する材料に溶解（又は溶融;fuse）し又は結合する。
【００８１】
ある態様では、熱杭４１６はアダプターブロック４１０に設けられたコンタクト・アッセンブリ１６０に隣接して（例えば、アパーチャー４１５に隣接して）位置付けられる。これにより、カバー４４０とアダプターブロック４１０との間の結合はコンタクト・アッセンブリ１６０の近傍で最も強くなる。これら結合は、コンタクト・アッセンブリ１６０（例えば、センシングコンタクト１６６）が回路ボード４３０に対して撓むにもかかわらず、カバー４４０つまり回路ボード４３０をアダプターブロック４１０に対して保持し易くする。コンタクト・アッセンブリ１６０が撓む間でさえ回路ボード４３０の位置が維持されることで、コンタクト・アッセンブリ１６０の電気コンタクト１６２と回路ボード４３０上のコンタクトパッドとの間の接続が向上される。
【００８２】
図３８〜４５は、図１のアダプターブロック・アッセンブリ１１０を実行するのに適した第４例示態様のアダプターブロック・アッセンブリ５００を示す。アダプターブロック・アッセンブリ５００は、前部５０１、背部５０２、上部５０３、底部５０４、第１側部５０５、および第２側部５０６を有する。前部５０１、背部５０２、および側部５０５，５０６により規定されたアダプターブロック・アッセンブリ５００の外周５０７は互い違いに配置された（交互ジグザグに配置された;staggered）形態を規定する。挿入軸に沿って光コネクタ（例えば光コネクタ１５０）を受容するためのポート５１２は第２アダプターブロック・アッセンブリ５００の前部５０１および背部５０２に供される。ある態様では、隣接するポート５１２は相互に前側に向かって/後側に向かって互い違いに配置されている。示される例示態様では、一対の隣接するポート５１２は相互に前側に向かって/後側に向かって互い違いに配置されている。ポート５１２の互い違いの配置により、ポート５１２内にプラグ接続された各コネクタ１５０へのアクセスが向上される。
【００８３】
第４の例示態様のアダプターブロック・アッセンブリ５００はアダプターブロック５１０、回路ボード５３０およびカバー５４０を含む。示される例示態様では、これら３つのコンポーネント５１０，５３０，５４０の各々は単一のピース（又は片;piece）ユニットから形成される。しかしながら、他の態様では、これらコンポーネント５１０，５３０，５４０のいずれかはマルチプル（又は多数の;multiple）ピース（例えば、結合部材を有したマルチプルアダプターブロック、マルチプル回路ボード、マルチプルカバー片等）から形成され得る。
【００８４】
アダプターブロック５１０は複数の前面ポート５１２および背面ポート５１２を規定するボディ５１１を含む。アダプターボディ５１１は他のセクション５１３に対して前側方向に又は後側方向にずらされているいくつかのセクション５１３を含む。例えば、図４０に示される第１セクション５１３Ａは第２セクション５１３Ｂに対して前側方向に向かってずらされている。しかしながら、他の態様では、アダプターブロック５１０のポート５１２は面一であってよい。ある態様では、アダプターブロックボディ５１１は、第１の側に第１群のポート５１２、第２の側に第２群のポート５１２、および第１群と第２群とを分ける中間部５１４を有する。中間部５１４はポート５１２を規定していない。
【００８５】
アダプターブロック５１０の上部は、コンタクト・アッセンブリ１６０を設けることを可能とするアパーチャー５１５を規定する。ある態様では、コンタクト・アッセンブリ１６０は各ポート５１２に配置される。他の態様では、コンタクト・アッセンブリ１６０は、アダプターブロックの前部と背部に交互に設けられたポート５１２および/又はアダプターブロック５１０の前部又は背部のみにあるポート５１２に配置され得る。熱杭５１６はアダプターブロック５１０の上部から上側方向に向かって延在する。示される例示態様では、前側熱杭５１６および後側熱杭５１６は、中間部５１４を除いてアダプターブロック５１０の各セクション５１３において上側方向に延在する。他の態様では、アダプターブロック５１０は任意の所望の数の熱杭５１６を含み得る。
【００８６】
ある態様では、アダプターブロック５１０はトレイ（例えば、図１９および図２０のトレイ２５０）又は他の構造体に設けるように構成され得る。例えば、特定の態様では、アダプターブロック５１０の側部５０５，５０６はアダプターボディ５１１から外側方向に向かって延在する係合部材５１７を含む。係合部材５１７はトレイに規定されたスロットに適合するように構成され得る。特定の態様では、アダプターブロック５１０は、トレイにある保持構造体と相互作用するように構成されている止め部材５１９を含み得る。図４１〜図４２に示すように、アダプターブロック５１０の中間部５１４は、アダプターブロック５１０をトレイに取り付けるためにラッチアーム（例えば、図１９のラッチアーム２５６）と係合するように構成される内側突起部５０８を含み得る。
【００８７】
回路ボード５３０は電気コンポーネント５３２を設けることが可能なボードボディ５３１を含む。また、回路ボードボディ５３１は、（例えば、コンタクトパッドを通じて）コンタクト・アッセンブリ１６０に電気的に連結（又は接続;couple）するように構成されている。回路ボードボディ５３１は、回路ボード５３０をアダプターブロック５１０に据え付ける際に熱杭５１６が延在する開口部を規定する。ボードボディ５３１は、アダプターブロック５１０の中間部５１４にわたり延在するように構成される中間部５３４を含む。回路ボードコネクタ５３５は、アダプターブロック５１０の下方に配置された電気回路に接続するために回路ボードボディ５３１からアダプターブロック５１０の中間部５１４内に規定されたアパーチャー５１８を通じて下側方向に延在し得る。
【００８８】
カバー５４０は、回路ボード５３０にわたって延在し、アダプターブロック５１０に取り付けるように構成されている。カバー５４０は、側壁５４２が下側方向に向かって延在する上部プレート５４１を含む。側壁５４２は回路ボード４３０に据え付くように構成されている。例えば、ある態様では、側壁５４２はボードボディ５３０に据え付くように構成されている。他の態様では、側壁５４２は回路ボード４３０のコンポーネント５３２に据え付くように構成され得る。側壁５４２は、上部プレート５４１下方の回路ボード・コンポーネント５３２を収容するために回路ボード５３０から十分に離して上部プレート５４１を持ち上げる。特定の態様では、タブ５４７もまた上部プレート５４１を回路ボード５３０から離して保持するために上部プレート５４１から下側方向に向かって延在する。特定の態様では、側壁５４２はカバー５４０の中空内部に繋がるアパーチャー５４６を規定する。アパーチャー５４６により、回路ボード５３０に設けられた表示器（例えばＬＥＤ）からの光が当該アパーチャーを通じて輝き、アダプターポート５１２を表示することが可能となる。
【００８９】
カバー５４０は上部プレート５４１を通じて延在する貫通孔５４３を規定する。貫通孔５４３は上部プレート５４１から下側方向に向かって延在するウェル５４４を介して規定される（図４５参照）。貫通孔５４３は、回路ボード５３０およびカバー５４０がアダプターブロック５１０に設けられる際にアダプターブロック５１０の熱杭５１６の経路を収容する大きさを有している。ウェル５４４は上部プレート５４１の外表面に繋がるカウンターボア（又は穴;bore）５４５を規定する。カウンターボア５４５は熱杭５１６からテーパー状となっている貫通孔５４３の台形円錐部分である。特定の態様では、熱杭５１６はカバー５４０の上部プレート５４１を越えて延在する大きさを有する。
【００９０】
アダプターブロック・アッセンブリ５００のコンポーネント５１０，５３０，５４０を一体的に取り付けるために、熱杭５１６の先端部は溶融（又は溶解:melt）されている。溶融熱杭は少なくとも部分的にカウンターボア５４５を満たす。ある態様では、溶融熱杭５１６はカバー上部プレート５４１の外表面と概して面一である。他の態様では、溶融熱杭５１６はカバー上部プレート５４１から内側方向に向かって凹み、又はカバー上部プレート５４１から外側方向に向かって突き出ることができる。特定の態様では、カウンターボア５４５を満たす溶融熱杭材はウェル５４４を通じず、それによってアダプターブロック５１０からのカバー５４０の取り外れが回避される。例えば、溶融材はウェル５４４の内部断面寸法よりも大きい最大断面寸法を有する台形円錐形状又は他の形状を有し得る。特定の態様では、溶融熱杭材はアダプターブロック５１０からのカバー５４０の取り外れを回避するためにカバー５４０を形成する材料に溶解（又は溶融;fuse）し又は結合する。
【００９１】
本開示のある態様に従えば、上記のアダプターブロック・アッセンブリのいくつかは、アダプター、コンタクト・アッセンブリ、回路ボードアッセンブリ、および任意のカバーアッセンブリ又はハウジングアッセンブリを含むわずか１３ｍｍの高さを有する。例えば、アダプターブロック・アッセンブリのいくつかはわずか１２．７５ｍｍの高さを有する。あるアダプターブロック・アッセンブリはわずか１２．５ｍｍの高さを有する。ある例示態様では、あるアダプターブロック・アッセンブリはわずか１２．５５ｍｍの高さを有する。特定の態様では、アダプターアッセンブリ自体はわずか９．５ｍｍの高さを有し得る。ある例示態様では、あるアダプターブロック・アッセンブリ自体はわずか９．３５ｍｍの高さを有し得る。特定の態様では、アダプターアッセンブリ自体はわずか９ｍｍの高さを有し得る。特定の態様では、アダプターブロック・アッセンブリ自体はわずか８．５ｍｍの高さを有し得る。特定の態様では、アダプターブロック・アッセンブリ自体はわずか８ｍｍの高さを有し得る。
【００９２】
図４６は、本明細書に開示されたアダプターブロック・アッセンブリのいずれかを設けることが可能な別の例示態様のトレイ６１０を含む例示態様のトレイ装置６００を示す。回路ボード装置６２０はトレイ６１０に設けられるように構成されている。回路ボード装置６２０は、トレイ６１０に設けられたアダプターブロック・アッセンブリの回路ボード装置のコンポーネント（例えば、コントローラー）と通信するように構成されている。トレイ６１０は側平面（又はサイド面;side plane）６４０に摺動可能に設けられるように構成されている。可撓性ケーブル６３０又は他の電気回路は、トレイ６１０の回路ボード装置６２０を側平面６４０に設けられた又は接続された電気回路又はローカルプロセッサに接続する。また、トレイ６１０は、トレイ６１０に設けられたアダプターブロック・アッセンブリのポートに送られる光ファイバーを操作するように構成され得る。
【００９３】
図４６に示される例示態様では、トレイ６１０は２つのサイドレール６１１と６１２との間に延在するクロス部材６１３を含む。搭載（又は取付又は実装又は据付;mounting）レール６１４はクロス部材６１３間で延在する。ある態様では、搭載部材６１６が搭載レール６１４から上側方向に向かって延在する。搭載部材６１６は、アダプターブロック・アッセンブリをトレイ６１０に更に取り付けるためにアダプターブロック・アッセンブリと係合するように構成されている。また、搭載構造体６１５はサイドレール６１１，６１２の内側面に供される。特定の態様では、搭載構造体６１５は相互に、および搭載部材６１６と横方向に一直線上に並べられている。
【００９４】
搭載レール６１４は、回路ボード６２０を設けることが可能なポケット６１７を規定する。接続部材６２２は、トレイ６１０に設けられるアダプターブロック・アッセンブリの回路ボードコンタクト部材と一直線上に並んで回路ボード回路ボード６２０に設けられる。また、回路ボード６２０はクロス部材６１３に接続部材６２５を含む。特定の態様では、クロス部材６１３の少なくとも一部はポケット６１７の一部を規定し得る。可撓性ケーブル６３０の少なくとも一部６３２は、第２サイドレール６１２を通じて、クロス部材６１３に沿ってポケット６１７を通じて、回路ボード６２０の接続部材６２５に送られ（又は進ませ;route）得る。カバー６１８は、可撓性ケーブル部分６３２を覆う（例えば保護する）ようにクロス部材６１３に設けられ得る。
【００９５】
可撓性ケーブルの対向端部６３６は側平面６４０に又は側平面６４０を通じて送られる。側平面６４０はトレイ６１０が摺動可能な１つ以上のガイドスロット６４２を規定する。例えば、トレイ６１０のサイドレール６１１，６１２の一方はガイドスロット６４２の１つに沿って摺動し得る。可撓性ケーブル６３０はトレイ６１０のサイドレール６１２と側平面６４０との間で延在する中間（又は介在;intermediate）丈６３４を含む。中間丈６３４自体は側平面６４０に対してトレイ６１０が移動するように折り曲げられる。
【００９６】
そのようなトレイ（例えばトレイ６１０）をシャーシ又はラック内に移動可能にどのように設けることが可能か、おおびそのような装置を通信システム内でどのように使用可能かについての情報は、２０１４年１月３１日に出願され、“ケーブルたるみ（又は緩み;slack）操作を用いた摺動可能な（又はスライド可能な;slidable）通信手段”と題され、代理人整理番号０２３１６．３５９７ＵＳＵ１を有する、同時係属の米国出願第１４/１６９,９４１号で見つけることができる。米国出願第１４/１６９,９４１号の開示内容は参照することにより本明細書に組み込まれる。本明細書に開示されたアダプターブロックおよびカセットを設けることが可能なトレイを含む別のシステムは、２０１３年６月２４日に出願され、“ケーブルたるみ（又は緩み;slack）操作を用いた摺動可能な（又はスライド可能な;slidable）光ファイバー接続モジュール”と題された同時係属の米国出願第１３/９２５,３７５号に開示されている。米国出願第１３/９２５,３７５号の開示内容は参照することにより本明細書に組み込まれる。
【００９７】
図４７〜５５は、図１のアダプターブロック・アッセンブリ１１０を実行するのに適した第５例示態様のアダプターブロック・アッセンブリ７００を示す。アダプターブロック・アッセンブリ７００は、前部７０１、背部７０２、上部７０３、底部７０４、第１側部７０５、および第２側部７０６を有する。前部７０１、背部７０２、および側部７０５，７０６により規定されたアダプターブロック・アッセンブリ７００の外周７０７は互い違いに配置された（交互ジグザグに配置された;staggered）形態を規定する。挿入軸に沿って光コネクタ（例えば光コネクタ１５０）を受容するためのポート７１２は第２アダプターブロック・アッセンブリ７００の前部７０１および背部７０２に供される。ある態様では、隣接するポート７１２は相互に前側に向かって/後側に向かって互い違いに配置されている。示される例示態様では、一対の隣接するポート７１２は相互に前側に向かって/後側に向かって互い違いに配置されている。ポート７１２の互い違いの配置により、ポート７１２内にプラグ接続された各コネクタ１５０へのアクセスが向上される。
【００９８】
第５の例示態様のアダプターブロック・アッセンブリ７００は少なくとも１つのアダプターブロック装置７１０、回路ボード７３０（図５０）およびカバー装置７４０を含む。アダプターブロック装置７１０は第１アダプターブロック７１０Ａ、第２アダプターブロック７１０Ｂ、および結合部材７２０を含む。結合部材７２０は第１アダプターブロック７１０Ａおよび第２アダプターブロック７１０Ｂと一体的に連結する。他の態様では、アダプターブロック装置７１０は単一のピース（又は片;piece）として形成され得る。回路ボード７３０は、第１表面７３１がアダプターブロック装置７１０から離れて面し、第２表面７３２がアダプターブロック装置７１０に面するようにアダプターブロック装置７１０に据え付く（図５０参照）。
【００９９】
図５０に示される回路ボード７３０は、アダプターブロック７１０Ａ，７１０Ｂを一体的に連結する結合部材７２０にわたって延在する大きさの中間部７３６を含む。回路ボードコネクタ７３５（図５０）は中間部７３６において回路ボード７３０の第２表面７３２から下側方向に向かって延在する。回路ボードコネクタ７３５は、本明細書でより詳細に説明するが、回路ボード７３０（例えば、つまり回路ボード７３０と嵌合するコンタクト１６０）を（例えば、別の回路ボード又は可撓性回路を通じて）データ処理ネットワークに電気接続するように構成されている。特定の態様では、結合部材７２０は、結合部材を通じる回路ボードコネクタ７３５の通路を収容する大きさを有している。
【０１００】
ある態様では、結合部材７２０は、コネクタ７３５のピンが延在するシュラウド７２７を含む。シュラウド７２７は、アダプターブロック装置７１０がトレイ装置６００又は他の搭載面に設けられている際に、ピンへのダメージ（例えば曲げ、破損等）を回避する。特定の態様では、結合部材７２０は２つのシュラウド７２７（例えば前方シュラウドおよび後方シュラウド）を含む。シュラウド７２７はトレイ６１０にある多数のコネクタを収容する。ある例示態様では、ピンコネクタ７３５は前方シュラウド７２７を通じて、トレイ６１０にある２つの雌コネクタのうちの第１雌コネクタ内に延在し、また第２雌コネクタは後方シュラウド７２７内に受容される。別の例示態様では、アダプターブロック・アッセンブリ７００は、ピンコネクタ７３５が前方シュラウド７２７を通じて、トレイ６１０にある第２雌コネクタ内に延在し、また第１雌コネクタは後方シュラウド７２７内に受容される。
【０１０１】
カバー装置７４０は第１カバー７４０Ａ、第２カバー７４０Ｂ、および中間カバー７５０を含む。第１カバー７４０Ａおよび第２カバー７４０Ｂは、本明細書でより詳細に説明するが回路ボード７３０にわたって配置され、アダプターブロック７１０Ａ，７１０Ｂに連結されている。中間カバー７５０は、第１カバー７４０Ａと第２カバー７４０Ｂとの間の回路ボード７３０の中間部７３６（図５０）にわたって延在する。他の態様では、カバー７４０Ａ，７４０Ｂ，７５０は単一片として形成され得る。更に他の態様では、回路ボード７３０は多数の片に分けられ得る。
【０１０２】
図５６は例示の第１アダプターブロック７１０Ａ、例示の第２アダプターブロック７１０Ｂ、および例示の結合部材７２０を示す。各アダプターブロック７１０Ａ，７１０Ｂの上部は、コンタクト・アッセンブリ１６０を設けることが可能なアパーチャー７１５を規定する。各アパーチャー７１５はポート７１２の１つと一直線上にある。ある態様では、コンタクト・アッセンブリ１６０は各ポート７１２に配置される。他の態様では、コンタクト・アッセンブリ１６０は、アダプターブロック装置の前部と背部に交互に設けられたポート７１２および/又はアダプターブロック７１０の前部又は背部のみにあるポート７１２に配置され得る。回路ボード７３０の第２表面７３２は、回路ボードと電気通信するためのコンタクト・アッセンブリ１６０と一直線上にあるコンタクトパッドを含む。
【０１０３】
図５１〜５５を参照すると、カバー装置７４０はアダプターブロック装置７１０に掛止するように構成されている。例えば、ある態様では、アダプターブロック装置７１０はアダプターブロック７１０Ａ，７１０Ｂの上部から上側方向に向かって延在するラッチアーム７６１（図５１および図５６）を含み得る。ラッチアーム７６１はラッチアーム７６１から外側に向かって延在するラッチフック７６２を含む（図５１および図５６）。示される例示態様では、ラッチアーム７６１はアダプターブロック装置７１０の各ポート７１２で上側方向に向かって延在する。他の態様では、多数又は少数のラッチアーム７６１がアダプターブロック装置７１０から上側方向に向かって延在し得る。
【０１０４】
カバー７４０は、カバー７４０をアダプターブロック装置７１０に取り付けるためにラッチアーム７６１を受容するように構成されている。また、カバー７４０はカバー７４０を通じて延在する貫通開口部７４７を規定する。各貫通開口部７４７は第１部分および第２部分を含む。第１部分は、ラッチアーム７６１のラッチフック７６２が通過可能な大きさを有している。第２部分は、ラッチフック７６２の経路を回避する大きさを有している。また、カバー７４０は各貫通開口部７４７の第２部分に隣接したプラットフォーム７４８を規定する。
【０１０５】
第１カバー片７４０Ａは、第１カバー片７４０Ａを第１アダプターブロック７１０Ａに押すことで第１アダプターブロック７１０Ａに設けられる（図５１参照）。ブロック７１０Ａの（ラッチフック７６２を含む）ラッチアーム７６１は第１カバー片７４０Ａの貫通開口部７４７の第１部分を通過する（図５２参照）。次いで、第１カバー片７４０Ａは、ラッチフック７６２がプラットフォーム上に配置されるまで貫通開口部７４７がラッチアーム７６１に対して横方向に動くように（図５３の７４０Ａ参照）、第１方向Ｄ１に摺動される（図５２参照）。特定の態様では、ラッチアーム７６１は、貫通開口部７４７の第１部分を通過する際に撓み、貫通開口部７４７の第２部分に入る際に通常の位置に戻る。
【０１０６】
第２カバー片７４０Ｂは同じ方法を用いて第２アダプターブロック７１０Ｂに設けられるが、第１方向Ｄ１とは反対方向である第２方向Ｄ２に第２カバー片７４０Ｂを摺動させる（図５４参照）。中間カバー７５０は第１カバー片７４０Ａと第２カバー片７４０Ｂとの間で回路ボード７３０にわたって位置付けられる（図５５）。中間カバー７５０は、ラッチアーム７６１を貫通開口部７４８と一直線上にするカバー片７４０Ａ，７４０Ｂの移動を回避する。その結果、中間カバー７５０はアダプターブロック装置７１０からカバー片７４０Ａ，７４０Ｂの取り外れを回避する。
【０１０７】
示される例示態様では、中間カバー７５０は結合部材７２０にあるラッチアーム７２２と一直線上にあるラッチスロット７５２を規定するボディ７５１を含む。ラッチアーム７２２は、中間カバー７５０が結合部材７２０に据え付く回路ボードの中間部７３６にわたって位置付けられる際にラッチスロット７５２内にスナップ接続する。他の態様では、中間カバー７５０はアダプターブロック７１０に連結され得る。
【０１０８】
ある態様では、アダプターブロック・アッセンブリ７００はトレイ（例えば、図１９および図２０のトレイ２５０）又は他の構造体に連結されるように構成される。特定の態様では、各アダプターブロック・アッセンブリ７００は、アダプターブロック７１０の少なくとも１つの側部７０５，７０６から外側方向に向かって延在する係合部材７１７を含む（図４８）。示される例示態様では、係合部材７１７はアダプターブロック７１０の両側部７０５，７０６から外側方向に向かって延在する。特定の態様では、係合部材７１７は、アダプターブロック装置７１０の側部７０５，７０６から見た際にＨ字形状の輪郭を有する。例えば、係合部材７１７は、アダプターブロック７１０の側部７０５，７０６から外側方向に向かって延在する２つのＬ字形状のフランジ、フランジ間に延在するシェルフ、およびシェルフから側部７０５，７０６に対して内側方向に延在する傾斜又はテーパーセクションを有し得る。
【０１０９】
特定の態様では、結合部材７２０は、アダプターブロック７１０の係合部材７１７に掛止するように構成されたラッチフィンガー７２５を含む。例えば、結合部材７２０は、第１アダプターブロック７１０Ａの第１側部７０５にある係合部材７１７に引っ掛かる（又はフックする;hook）第１ラッチフィンガー、および第２アダプターブロック７１０Ｂの第２側部７０６にある係合部材７１７に引っ掛かる第２ラッチフィンガー７２５を有し得る。特定の例示態様では、結合部材７２０は、アダプターブロック７１０Ａ，７１０Ｂの前面ポート７１２が共通平面に沿って延在するようにアダプターブロック７１０Ａ，７１０Ｂを一体的に連結する。
【０１１０】
上記説明、例示態様、およびデータは本発明の製造および構成品の使用の完全なる記載を供する。本発明の多くの態様が本発明の精神および範囲から逸脱することなく形作られているため、本発明は下記のクレームに属している。
【図１】
2016513275.tif 000003
【図２】
2016513275.tif 000004
【図３】
2016513275.tif 000005
【図４】
2016513275.tif 000006
【図５】
2016513275.tif 000007
【図６】
2016513275.tif 000008
【図７】
2016513275.tif 000009
【図８】
2016513275.tif 000010
【図９】
2016513275.tif 000011
【図１０】
2016513275.tif 000012
【図１１】
2016513275.tif 000013
【図１２】
2016513275.tif 000014
【図１３】
2016513275.tif 000015
【図１４】
2016513275.tif 000016
【図１５】
2016513275.tif 000017
【図１６】
2016513275.tif 000018
【図１７】
2016513275.tif 000019
【図１８】
2016513275.tif 000020
【図１９】
2016513275.tif 000021
【図２０】
2016513275.tif 000022
【図２１】
2016513275.tif 000023
【図２２】
2016513275.tif 000024
【図２３】
2016513275.tif 000025
【図２４】
2016513275.tif 000026
【図２５】
2016513275.tif 000027
【図２６】
2016513275.tif 000028
【図２７】
2016513275.tif 000029
【図２８】
2016513275.tif 000030
【図２９】
2016513275.tif 000031
【図３０】
2016513275.tif 000032
【図３１】
2016513275.tif 000033
【図３２】
2016513275.tif 000034
【図３３】
2016513275.tif 000035
【図３４】
2016513275.tif 000036
【図３５】
2016513275.tif 000037
【図３６】
2016513275.tif 000038
【図３７】
2016513275.tif 000039
【図３８】
2016513275.tif 000040
【図３９】
2016513275.tif 000041
【図４０】
2016513275.tif 000042
【図４１】
2016513275.tif 000043
【図４２】
2016513275.tif 000044
【図４３】
2016513275.tif 000045
【図４４】
2016513275.tif 000046
【図４５】
2016513275.tif 000047
【図４６】
2016513275.tif 000048
【図４７】
2016513275.tif 000049
【図４８】
2016513275.tif 000050
【図４９】
2016513275.tif 000051
【図５０】
2016513275.tif 000052
【図５１】
2016513275.tif 000053
【図５２】
2016513275.tif 000054
【図５３】
2016513275.tif 000055
【図５４】
2016513275.tif 000056
【図５５】
2016513275.tif 000057
【図５６】
2016513275.tif 000058
【国際調査報告】
2016513275.tif 000059
2016513275.tif 000060